(57)【要約】びっくりさせる物または同様なアクセサリーのような製品のためのコンテナーであって、２つの半殻（２、４）を包含しており、これらは保持壁（２ａ、２ｂ；４ａ、４ｂ）および開放口（１０、１２）付きであり、互いに口対口で結合されて閉じたコンテナー（１）を形成し得るものであり、ここで２つの半殻（２、４）はヒンジ手段（２０）により互いに連結されており、このヒンジ手段は半殻（２、４）の１つが他方に対してコンテナー（１）の閉塞位置と開放位置の間で動くことを許容するようなヒンジ軸（ａ−ａ）を備えている。コンテナー（１）がその閉塞状態において、２０ｍｍおよび５５ｍｍの間の最小の全体寸法を備えかつ半殻（２、４）の少なくとも１つの保持壁（２ａ、２ｂ；４ａ、４ｂ）がヒンジ手段（２０）の近傍に、厚さ弱化壁付きの少なくとも１つの線（４４ａ、４６ａ；４４ｂ、４６ｂ）を備えており、この弱化壁は上記壁（２ａ、２ｂ；４ａ、４ｂ）の部分を越えかつ半殻（２、４）の本体に対してかつ／または２つの半殻（２、４）を連結しているヒンジ手段（２０）に対して加えられる応力に引き続き破壊が可能でありかつ上記ヒンジ手段（２０）の破壊を起こす傾向にある。
2009515789.tif 000002
【特許請求の範囲】
【請求項１】
びっくりさせる物または同様なアクセサリーのような製品のためのコンテナーであって、２つの半殻（２、４）を包含しており、これらは保持壁（２ａ、２ｂ；４ａ、４ｂ）および開放口（１０、１２）付きであり、互いに口対口で結合されて閉じたコンテナー（１）を形成し得るものであり、ここで２つの半殻（２、４）はヒンジ手段（２０）により互いに連結されており、このヒンジ手段は半殻（２、４）の１つが他方に対してコンテナー（１）の閉塞位置と開放位置の間で動くことを許容するようなヒンジ軸（ａ−ａ）を備えているものにおいて、コンテナー（１）がその閉塞状態において、２０ｍｍおよび５５ｍｍの間の最小の全体寸法を備えかつ半殻（２、４）の少なくとも１つの保持壁（２ａ、２ｂ；４ａ、４ｂ）がヒンジ手段（２０）の近傍に、厚さ弱化壁付きの少なくとも１つの線（４４ａ、４６ａ；４４ｂ、４６ｂ）を備えており、この弱化壁は上記壁（２ａ、２ｂ；４ａ、４ｂ）の部分を越えかつ半殻（２、４）の本体に対してかつ／または２つの半殻（２、４）を連結しているヒンジ手段（２０）に対して加えられる応力に引き続き破壊が可能でありかつ上記ヒンジ手段（２０）の破壊を起こす傾向にあることを特徴とする、コンテナー。
【請求項２】
壁厚さの弱化線（４４ａ、４６ａ；４４ｂ、４６ｂ）の少なくとも１つが２つの半殻（２、４）を連結しているヒンジ手段（２０）の破壊の前に破壊する傾向を有するような厚さを備えていることを特徴とする、請求項１に記載のコンテナー。
【請求項３】
少なくとも１つの半殻、または好ましくは双方の半殻（２、４）が１対の壁厚さ弱化線（４４ａ、４６ａ；４４ｂ、４６ｂ）を備えており、これらの弱化線は夫々の半殻（２、４）の壁部分上を延び、夫々の弱化線は上記ヒンジ手段（２０）の横端部近傍から延びていることを特徴とする、請求項１および２に記載のコンテナー。
【請求項４】
各対を形成している２つの壁厚さ弱化線（４４ａ、４６ａ；４４ｂ、４６ｂ）が互いに平行であるかまたは夫々の半殻（２、４）の頂部（２ａ、４ａ）に向かい分かれていることを特徴とする、請求項３に記載のコンテナー。
【請求項５】
上記対を形成している壁厚さ弱化線（４４ａ、４６ａ；４４ｂ、４６ｂ）がそれらの間に舌（５０、５２）の形の夫々の半殻（２、４）の壁要素を区画し、この区画は上記壁厚さ弱化線（４４ａ、４６ａ；４４ｂ、４６ｂ）の破壊に引き続き夫々の半殻（２、４）の保持壁をヒンジ手段（２０）に対して接続することを特徴とする、請求項３または４に記載のコンテナー。      
【請求項６】
２つの半殻を連結するヒンジ手段（２０）が２つの半殻（２、４）と一体であることを特徴とする、請求項１ないし５の何れかに記載のコンテナー。
【請求項７】
上記ヒンジ手段（２０）が少なくとも１つのフイルム状ヒンジ（２２、６０、６４）を包含していることを特徴とする、請求項１ないし６の何れかに記載のコンテナー。
【請求項８】
ヒンジ手段（２０）が可撓性を有するフイルム状ヒンジ要素（２２）を包含しており、このヒンジ要素は両半殻（２、４）の壁に湾曲部分（２４、２６）に沿い連結されかつ選択肢としてはその長手方向端部にリブ（２８、３０）の形の撓み得る可撓性要素を備えていることを特徴とする、前記請求項の何れかに記載のコンテナー。
【請求項９】
上記半殻（４）の１つがカラー（１４）を形成する保持壁部分を備え、この保持壁は他の半殻（２）の保持壁の部分の内側に噛合されることができしかも２つの半殻（２、４）は可撓性のあるフイルム状ヒンジ要素（２２）により互いに連結され、上記ヒンジ要素は上記半殻（２）の１つにその口（１０）の輪郭に沿い輪郭と同一面で他方の半殻（４）の保持壁（４ｂ）に対して上記カラー部分（１４）の下側で連結されていることを特徴とする、前記請求項の何れかに記載のコンテナー。
【請求項１０】
カラー（１４）を備えた上記半殻（４）は１対の壁厚さ弱化線（４４ｂ、４６ｂ）を備え、これらの弱化線は上記半殻の保持壁に沿いその口（１２）の輪郭からまたはその口（１２）の縁から数ｍｍ下方のレベルから延びておりかつ他の半殻（２）もまた壁厚さ弱化線（４４ａ、４６ａ）を備えこれらはその口（１０）から延びていることを特徴とする、請求項９に記載のコンテナー。
【請求項１１】
カラー（１４）を備えた上記半殻（４）は１対の壁厚さ弱化線（４４ｂ、４６ｂ）を備え、これらの弱化線は上記半殻（４）の保持壁に沿いカラー領域（１４）から延びており、上記１対の線（４４ａ、４６ａ）は壁厚さ弱化部分（４８）により互いに連結されており、上記弱化部分（４８）はカラー（１４）内を円周上に延びていることを特徴とする、請求項９に記載のコンテナー。
【請求項１２】
上記ヒンジ手段（２０）は可撓性舌要素（５９）を包含しており、この舌要素はフイルム状ヒンジ要素（６０）により半殻（２）の口（１０）の輪郭部に連結されかつ第２のフイルム状ヒンジ要素（６２）により他の半殻（４）の壁に連結されていることを特徴とする、請求項１ないし６の何れかに記載のコンテナー。
【請求項１３】
上記半殻はバヨネットまたはバックルタイプ（６６、６８、７２）の閉塞手段を備えており、この閉塞手段は１つの半殻（２、４）と協働する雄要素（６６、６８）および他の半殻（２、４）と協働して互いに噛合し得る雌要素（７２）とを包含し、上記閉塞手段（６６、６８、７２）はユーザーにより解放され得るようにされていることを特徴とする、請求項１２に記載のコンテナー。
【請求項１４】
２つの分離した半殻（２、４）を包含しバヨネットまたはバックル式連結およびヒンジ手段（６６、６８、７２）を包含し、これらの手段は保持要素（７６）を備えた可撓性ラグ（７４）の形で１つの半殻上に備えられている雄要素、および雌要素（８０）付きであり、この雌要素は他方の半殻（２、４）上と内側に装備されかつ、上記雄要素（７６）はフィット形式で噛合可能であり、上記連結およびヒンジ手段（６６、６８、７２）は２つの半殻間の永久的な連結を作り出し得るものであることを特徴とする、請求項１ないし５の何れかに記載のコンテナー。
【請求項１５】
上記半殻（２、４）は第２のバヨネットまたはバックル連結手段を包含しており、コンテナーを開放するためにはユーザーにより互いに噛合されかつ開放され得るようにされていることを特徴とする、請求項１４に記載のコンテナー。
【請求項１６】
半殻（４）の１つがカラー（１４）を包含しており、このカラーは他の半殻（２）の内側に挿入可能でありかつ上記カラー（１４）はその円周方向に沿い厚さの変えられた部分を備え、ヒンジ手段（２０）に面した領域（α’）内での壁の厚さが上記ヒンジ手段（２０）の配置されているかまたは隣接している領域の壁厚さより大きくされていることを特徴とする、前記請求項の何れかに記載のコンテナー。
【請求項１７】
その閉塞状態においてそれは湾曲した収容側壁部分（２ｂ、４ｂ）を備え、これらの側壁部分はヒンジ手段（２０）に面した角度範囲（α）領域および収容側壁部分（２ａ、４ａ）の領域だけ延びておりこの領域は角度（３６０−α）だけヒンジ手段（２０）を取り囲んで延びていることを特徴とする、前記請求項の何れかに記載のコンテナー。
【請求項１８】
その閉塞状態においてそれは湾曲した経線輪郭をヒンジ手段（２０）に面した角度範囲（α）領域だけ延びており、かつ経線ストレート中央部分がヒンジ手段（２０）を取り囲んで延びていることを特徴とする、請求項１７に記載のコンテナー。
【請求項１９】
上記半殻（２、４）が弾性変形可能な可撓性壁部分を備えて、２つの半殻（２、４）の少なくとも１つに半径方向圧縮力が加えられコンテナーが閉塞している時にそれを弾性的に潰すと、コンテナーのスナップ開放が可能とされていることを特徴とする、前記請求項の何れかに記載のコンテナー。
【請求項２０】
コンテナーがポリエチレン、ポリプロピレン  ホモポリマーまたはコポリマー、ポリアミドおよびポリエチレン  テレフタレートから選ばれたプラスチックで造られていることを特徴とする、前記請求項の何れかに記載のコンテナー。
【請求項２１】
内部に玩具または食品が収容されている、前記請求項の何れかに記載のコンテナー（１）を含んでいる食品パッケージ。
【発明の詳細な説明】
【技術分野】
【０００１】
本発明はプラスチックで造られたコンテナーに関し、特に玩具またはお菓子製品のような贈答品またはサプライズさせる物の容器として使用されることが意図され、かつチョコレートエッグのような食品のための中空本体、または食品を包含したパッケージ内部が紹介されることが意図されている。
【０００２】
特に、本発明は２つの半殻を包含しているコンテナーに関するものであり、これらの半殻は収容用の壁および開放口を備えかつ互いに口対口の前方噛合関係で
結合され閉じたコンテナーを形成するようにされかつ２つの半殻が互いにヒンジ手段を構成する連結手段により連結され、この連結が一方の半殻の他方の半殻に対するコンテナーの閉塞位置から開放位置への傾斜運動を許容している。
【発明の開示】
【発明が解決しようとする課題】
【０００３】
本発明の主たる目的は夫々コンテナーの底部と蓋を形成している２つの半殻が互いに連結されて、ユーザーにより連結手段特にヒンジ手段に加えられる応力により、それらの破壊を生じかつ引き続いての２つの半殻の分離を起こす危険を避けまたは何れの場合も最低にするようなコンテナーを提供することである。
【０００４】
本発明の別の目的は、例え比較的に安価なプラスチック材料により造られていても上述の目的を達成するコンテナーを提供することである。
【０００５】
本発明の別の目的はユーザーによる上記コンテナーの開放および閉塞を容易にし得るような構造のコンテナーを提供することである。
【課題を解決するための手段】
【０００６】
これらの目的に鑑み、本発明は主に請求項１の前文に記載のコンテナーに関し、そこには−その閉塞状態において−２０ｍｍおよび５５ｍｍの間の最小の全体寸法を備えかつ半殻の少なくとも１つの保持壁がヒンジ手段の近傍に、厚さ弱化壁付きの少なくとも１つの線を備えており、この弱化壁は上記壁の部分を越えかつ半殻の本体に対してかつ／または２つの半殻を連結しているヒンジ手段に対して加えられる応力に引き続き破壊が可能でありかつ上記ヒンジ手段の破壊を起こす傾向にあることを特徴としている。
【０００７】
コンテナーの更なる特徴は引き続いている請求項に画定されている。
【０００８】
本発明の基本は１つの、または好ましくは双方の半殻の壁上に１つまたはより多くの２つの半殻を接続するヒンジ手段の破壊または剪断の前に破壊し易い予め切目を入れた線を備えかつそこで上記の１つまたはそれより多い予め切目を入れた線が１つまたは双方の半殻の壁上に配置され、従って押圧力によるそれらの何れかの剪断が、半殻の分離を伴うことなく半殻の壁上に生じ、これはヒンジ手段による相互のヒンジ状態を無傷に保持する。
【０００９】
本発明によると、選択的な予め入れた切目線は好ましくは壁厚さの弱化部付きであり、即ち、壁厚さがこれらの線近傍の壁の厚さより少なくなり、このようにして、例えば、上記線の厚さはフイルム状厚さであり、例えば１０ないし１００μｍである一方、半殻の壁厚さは２００−１０００μｍの領域となる。これらの壁厚さの弱化部の線はプラスチック半殻の成形時に直接形成される。
【００１０】
好ましい実施例においては、１つの半殻（またはより好ましくは双方の半殻）は２つの連続した壁厚さの弱化線を備え、その各々は２つの半殻を互いに連結しかつ枢支するための手段の反対側に配置されており、従って上記線の剪断は可撓性のある舌を形成し、２つの半殻の枢支のための更なる可能性を提供する。
【００１１】
好ましくは、本発明によるコンテナーは一体ボデーにより形成され、そこでは２つの半殻は２つの半殻と一体の連結かつ枢支手段により互いに連結される。上記ヒンジ手段は、例えば、フイルム状ヒンジ手段またはスナップフイルム状ヒンジ要素から成り、後者は例えば米国特許第４４０３７１２号に記載されているタイプである。
【００１２】
しかしながら、本発明はまた２つの分離した半殻により形成されるものも包含しており、それらの半殻は互いに互いに噛合し得るバックルまたはバヨネット連結手段であり、例えばＥＰ−Ａ−１５２９７３１に記述されているタイプである。
【００１３】
典型的には、閉塞状態のコンテナーは概ね伸長筒状形を備えており、湾曲した頂部壁および円形または丸みのある口付きのものである。この場合には、用語“最小全体寸法”は口直径または、非円形口の場合には、最小口直径である。好ましくは、上述の最小全体寸法は３０ｍｍおよび４５ｍｍの間である。
【００１４】
本発明によるコンテナーの更なる特徴および利点−および特に子供により使用されかつ取り扱われることが意図されているサプライズコンテナーとしての使用に関連しての構造的かつ機能的利点−は後述の詳細な説明から明らかになり、その記述は添付図面に関連しており、これらの図面は非限定的な例として提供されている。
【発明を実施するための最良の形態】
【００１５】
図面において本発明によるコンテナーは全体として１で示されており、このコンテナーは第１および第２の半殻２、４を包含しており、これらは概ねプラスチックでかつ射出成型により造られている。
【００１６】
好ましい材料は可撓性プラスチック、好ましくはポリエチレン、ポリプロピレン  ホモポリマーまたはコポリマー、ポリアミド、ポリエチレン（ＰＥＴ）および他の射出成型可能な熱可塑性ポリマーから選ばれる。
【００１７】
図示されている実施例において、２つの半殻２、４の夫々は保持壁付きの概ねカップ状輪郭を備えており、この保持壁は頂部２ａ、４ａの処で選択的に平坦とされているドーム形終端部、およびスカート部２ｂ、４ｂを包含している。
【００１８】
ドーム形部分およびスカート部の間の分離部は図５の断面内では線６および８により明示されているが、純粋に概念的に可能な、収容壁の内外面の間の曲率の異なる遷移点または領域を−必須なものとしてではなく−可能なものとして指示しており、異なる曲率は例えば垂直部分内の湾曲輪郭と実質的にストレートな輪郭またはより小さい曲率の部分の間のものである。
【００１９】
上述の分離部の選択的な性質を考えると、用語“スカート”または“スカート部”は共に夫々の半殻の口に対して隣接した環状壁部分を指示するのに使用され得る。
【００２０】
図示の実施例において、２つの半殻は夫々口１０および１２を備えており、これは円形の輪郭付きでありまたは−より詳細に後述するように−実質的に円形の輪郭を備えている。
【００２１】
しかしながら、本発明の構造的な原理は異なる輪郭の口付きの半殻にも適用可能であり、例えば楕円、卵形、多角形または複合線形のものでもよいことは理解されるでああろう。
【００２２】
２つの半殻は口対口の前係合関係で連結され得る。特に、半殻の１つ４はカラー１４を備えており、このカラーは他の半殻２の側壁の部分（スカート部２ｂ）の内側へ挿入され干渉フィットすることができ、２つの半殻が互いに容易に解放されることが阻止されている。
【００２３】
２つの半殻の間の連結をより確実にするために、形状フィットまたはスナップ係合手段を想定することが可能であり、この手段は、例えば、カラー１４内の環状リブ１６であり、これは好ましくは３６０°（図６）より少ない角度でまたは円周上に伸長しており、連続的または非連続的（その部分内）でかつ２つの半殻の重合領域内の他方の半殻の内面内に形成されている補完的な環状溝１８と噛合している。
【００２４】
確実な連結が保証されるがユーザーにより簡単に解放可能であれば他の噛合手段も使用可能であると理解され得る。
【００２５】
図１−８による実施例においては、２つの半殻２および４がヒンジ手段により互いに連結されており、これらのヒンジ手段は２つの半殻と一体でありかつ全体として２０により表示されている。
【００２６】
本発明は特殊タイプのヒンジ手段の選択に限定されるものと理解されるべきではなくかつ以下の記述は従って好ましい実施例についてのものであり、これらの実施例は特に２つの半殻のヒンジングおよび上述の前部での噛合構造で互いに連結することを容易化するものである。
【００２７】
図２−８内に示されているように、一体ヒンジ手段２０は上の半殻２に対して連結されているフイルム状要素２２を包含しており、この半殻は湾曲部分２４に沿い口１０の輪郭の上の蓋として作用しており、かつカラー１４の直下の底部半殻４に対して湾曲部分２６に沿い連結しており；フイルム状ヒンジ要素２２の長手方向端部（即ち、円周方向端部）でリブ２８、３０の形で外方へ突出しかつフイルム状要素２２の厚さより大きい厚さの弾性要素が選択肢として存在している。
【００２８】
コンテナーの閉塞位置において、フイルム状ヒンジ要素２２および選択肢的なリブ状要素２８、３０はＣのように弾性的に曲げ変形される。
【００２９】
閉塞状態からのコンテナーの開放は上部の半殻２の上に上向きの引っ張り力を及ぼすかまたはコンテナーの側壁上に圧縮または半径方向の絞り力を及ぼして−コンテナー壁の可撓性により−この壁に弾性変形を起こし、この壁は代わりにカラー部分１４とスカート部分２ｂ（図６）に存在するフィット噛合手段１６、１８の解放をもたらす。
【００３０】
この解放に引き続き、フイルム状ヒンジ要素２２および選択肢的なリブ状要素２８、３０の拡大中の弾性的復帰力は半殻２のスナップ開放を起こし、この開放は口の面に対して平行なヒンジ軸ａ−ａ廻りの約９０°の傾斜を伴う。
【００３１】
その閉塞状態において、コンテナーは互いに接続されているスカート部分２ｂおよび４ｂにより形成される実質上筒状の側壁を備えており；コンテナーの開放および閉塞を容易化するために好ましくは、しかしながら、（カラー１４上における）側壁部分、これは角αより大きい円周方向、好ましくは１８０°より小さいかまたは等しい、がヒンジング手段に面した領域で丸められまたは湾曲され、一方その領域およびヒンジング手段内の角度３６０°−αを越えて延びる側壁部分は筒状である。
【００３２】
半殻２のスカート部分２ｂの内面は−好ましくは垂直縦断面内において−湾曲面３４（図５）を備えておりかつ、対応して、カラー１４の外面３６は適合する湾曲形状を備えている。
【００３３】
特に、コンテナーは−その閉塞状態において−ヒンジ２２の中央部を通るヒンジ軸ａ−ａに対して直角な垂直面に沿う断面において、ヒンジ手段２０に対して反対側の領域で、湾曲されかつ曲げられた経線形とヒンジ手段の領域内にストレート中央部分付きの経線形を備えている。それは、好ましい実施例においては、スカート部分２ｂの内面３４と外面３８に続き、少なくともその領域内においては曲率を備え、その領域はヒンジ手段２０に対して反対側に位置する広い角度αの範囲である。
【００３４】
これに対応して、半殻４のカラー１４の外面およびスカート部分４ｂの外面は−ヒンジ手段の反対側の上述領域内において−曲率を備えている。カラー１４の内面４２およびスカート部分４ｂは、しかしながら、実質的に筒状面である。
【００３５】
好ましくは、ヒンジ手段２０より上方のカラー１４の外面４３は筒状壁で、この壁は円周状に、筒形で、３６０−αの角度範囲で延び、そこではαは概ね１８０°より小さい値を備えている。
【００３６】
好ましくは、半殻２のスカート部分２ｂ−または少なくともヒンジ手段上方のまたはその近傍領域の円周方向に延びている−は可撓性がありまたは撓み弾性を備えている。
【００３７】
好ましくは、カラー１４の環状壁は可撓性を備えまたは撓み得るように弾性的であり；しかしながら、好ましくはカラー１４の環状壁はその円周上で円周方向に沿い異なる剛性を有し、即ちカラー１４の環状壁の円周方向領域−ヒンジ手段２０に対して反対側に配置されている−はヒンジ手段上方または近傍に円周方向領域よりも可撓性または撓み弾性に対してより剛直でありかつ好ましくは半殻２のスカート部分２ｂより剛直であるべきである。
【００３８】
これらの特徴は次のことを確保することにより得ることができ、即ち少なくともカラー１４の環状壁の角度α’（ここでα’はαと符合し得る）および選択肢的にはヒンジ手段上方領域のカラーの厚さより大きくされかつ好ましくは半殻２のスカート部分２ｂの壁厚さより大きくされている。
【００３９】
上述のように、壁の厚さは好ましくは角度領域α’で限定されており、この角度は３６０°より小さい角度で延び、例えばヒンジ手段２０に対する反対側で１８０°より少ないかまたは等しくされている。
【００４０】
少なくとも２つの半殻の１つの側壁は少なくとも１つの弱化または厚さ低減線４４ａ、４６ａ、４４ｂおよび／または４６ｂを備え、または好ましくはヒンジ手段２０の端部に対する近傍領域に配置された１対の線を備えている。好ましくは、半殻の双方は１対の上述の弱化線を備えている。対を形成している２つの線は夫々の半殻の壁の部分上を延び；上記の２つの線は互いに平行でありまたは半殻の端部に向かい分岐している。描写されている図においては、これらの２つの線−例えば４４ａ、４６ａ−はヒンジに近接した第１部分に沿い互いに平行しておりかつそれらの終点に沿い分かれ、これは夫々の半殻のドーム２ａ、４ａ上に導いている。
【００４１】
カラーの無い半殻（図１の半殻２）においては、２つの線４４ａ、４６ａは口の輪郭からドーム領域へ延びている。
【００４２】
同様に、カラー付きの半殻（図面中では半殻４）においては、弱化厚さ部付きの２つの線４４ｂ、４６ｂがカラーの口縁からドーム領域へと延びており；代わりに、図３内に示されているように、これらの線は半殻の壁上をヒンジ手段２０の上方配置領域から延びかつ円周方向に延びている弱化壁付きの更なる線と接続されている。
【００４３】
弱化された厚さ付きの上述の両線は基本的には以下の危険−多分繰り返される−を阻止しまたは低減する機能を備えており、その危険はコンテナーを開放したり閉塞したりするために加える応力がヒンジ手段の破損を起こし、引き続いて２つの半殻の好ましくない分離を起こさせうるからである。
【００４４】
弱化厚さ付きの両線の機械的強度特性−および特にそれらの壁の厚さ−は２つの半殻の間の連結およびヒンジ手段の機械的強度特性に依存して調整されており、その特性は１つまたは双方の半殻に対して加えられる機械的な（引っ張り、圧縮または捩り）応力が第１義的に厚さの弱化された壁付きの１つまたは双方の線の破損を引き起こす。対を形成している双方の線（例えば４４ａ、４６ａ）の破損により２つの半殻はヒンジ手段２０によりおよび２つの半殻側壁部分５０の手段によりヒンジされた状態に留まり、上記壁部分５０は２つの剪断された厚さ弱化部分の線の間に舌のような形で配置されている。
【００４５】
半殻側壁の可撓性により舌部分５０も最適の可撓性特性を備え、２つの半殻間のヒンジアームの延長部として作用する。
【００４６】
好ましい実施例によると、壁厚さ弱化部付きの第２対の線（例えば４４ｂ、４６ｂ）が他の半殻の壁上に設けられている時、それ自体がヒンジ手段の破壊を起こし得る更なる応力を加えると−第１段階として−これらの線の破壊が生じ、その結果として剪断された両線４４ｂおよび４６ｂの間に舌領域５２が形成される。第１対および第２対が形成している両弱化線の破壊が同時にまたは引き続いて起こりかつこの破壊が必ずしもここに例示された順番で起こらないことは理解されるであろう。
【００４７】
図６および図７はそれぞれ本発明によるコンテナーを示しており、そこでは弱化線の第１対の破壊（図６）および弱化線の双方の破壊（図７）が生じている。夫々の弱化線の破壊後の舌５０および／または５２がどのように生じ、これらが夫々の半殻の本体に５４および５６で指示されているヒンジ部分に沿い枢着され、そのようにして両弱化線の破壊が２つの半殻の更なるヒンジ領域を形成している。
【００４８】
図９−１１内に記述されている実施例においては、コンテナーは２つの半殻２および４により形成されており、これらの半殻は２つの半殻と一体の連結およびヒンジ手段により互いに連結されている。連結およびヒンジ手段は舌要素５８を包含しており、これは半殻２に対してフイルム状ヒンジ６０を介して、かつ他の半殻４に対してはフイルム状ヒンジ６２を介して連結されており；これらの連結手段は従って２つのヒンジ軸を備えている。フイルム状ヒンジ６２は半殻４の口に対して比較的に低い位置でカラー領域１４の下側に配置されており；フイルム状ヒンジ６０は半殻２の口の輪郭に沿い配置されている。半殻４の側壁は、舌５８の反対側に平坦化された壁部分６４を備えており、それに対してヒンジ舌５８はコンテナーの閉じた輪郭内に配置されている。
【００４９】
コンテナーはバヨネットまたはバックル型の閉塞／開放手段を備えており、この手段は１つの半殻に協働する雄要素および他の半殻に協働する雌要素であって互いに噛合に適した要素を包含している。雌要素はラグ６６を包含しており、これは一方の半殻の口の縁から延びかつ半径方向突起または保持歯６８を備えている。他方の半殻はその側壁上に、凹部７０を備えており、この凹部はブリッジ要素７０と実質的にフラットな壁付きで、このブリッジ要素はその半径方向内側面と凹部の外面との間に開口を区画しており、その開口の中にラグ６６の端部が挿入され、歯６８が半殻２をコンテナーの閉塞状態にロックするための保持要素として作用する。
【００５０】
コンテナーの開放は保持要素６８上に半径方向の圧力を加えることにより実施される。
【００５１】
この場合にはまた、半殻の一方の壁、好ましくは他方の半殻に対してその口の輪郭に沿い連結される半殻２の壁が、好ましくは厚さの弱化壁付きの前述型の２つの線４４ａおよび４６ａを備えており、これらの線はフイルム状ヒンジ６０の近傍かつその外側に配置されている。しかしながら、厚さ弱化壁付き線４４ｂ、４６ｂ付きの第２対（選択肢的には横方向の厚さ弱化線４８と連結されている）が他の半殻４上にあり、フイルム状ヒンジ６２の側上に配置されることも認識され得る。
【００５２】
図１２による実施例において、コンテナーが２つの半殻により形成され、図９により前述したタイプの第１バヨネットまたはバックルを包含し、これらは２つの半殻間の永久的な連結を保証し、かつ第２のバックルまたはバヨネット連結手段が容易に解放されることができてコンテナーの開放／閉塞を許容する。
【００５３】
第１の連結ヒンジ要素は半径方向突出保持要素７６付きの可撓性ラグ７４を包含しており、この保持要素は他方の半殻の側壁の凹部内に挿入可能であり、上記他方の半殻はブリッジ要素８０と噛合する保持要素７６を備えている。
【００５４】
この場合、ラグ７４の可撓性特性により、２つの半殻はヒンジ領域により互いに枢着され、ヒンジ軸ｄ−ｄはラグ７４の伸長長手方向に対して垂直である。
【００５５】
コンテナーの開放／閉塞のために有益な第２の連結手段は上述の第１の連結ヒンジ手段と構造的には同様であり、保持要素８２付きであり、その保持要素は非永久的な閉塞とユーザーによる開放を容易にするような寸法を備えている。
【００５６】
この場合、好ましくは、壁厚さの弱化線４４ａ、４６ａは半殻２の壁上の、永久連結手段のラグ７４の端部近傍に設けられている。
【００５７】
コンテナーは通常は、内部に、ユーザーによりコンテナー外へ取り出されることが意図されている贈答品が入れてある。コンテナーの構造的特性により、２つの半殻は互いに結合状態とされているが、引き続き、ユーザーにより加えられる応力は、それ自体が連結ヒンジ手段の破壊を引き起こし得るものである。
【００５８】
本発明の原理を修正することなく、実施例および構造的詳細は記述されかつ描写されたものから以下の請求項の範囲から離れることなく広い範囲で変更可能であることは理解されるであろう。
【００５９】
従って、上述と異なるが、上述のものと同じ機能を果たすものは従来通り使用され得ることも理解されるであろう。
【００６０】
同様に、コンテナーはここでは概ね筒状で実質的に円形の断面を有するものとして記述されているが、構造は変更可能であり、それは口および２つの半殻の壁の輪郭を変え、例えば２つの楕円形の口輪郭を有する半殻か、または連結された時には円形口輪郭を有するが、楕円形の輪郭を有するような２つの半殻に変えることにより変形させ得る。
【図面の簡単な説明】
【００６１】
【図１】本発明によるコンテナーの前面図である。
【図２】図１によるコンテナーの全開状態の頂面図で、２つの半殻の１つは約１８０°だけ傾斜している。
【図３】図２のＩＩＩ−ＩＩＩ線に沿う断面図である。
【図４】図１によるコンテナーの拡大詳細図である。
【図５】図１によるコンテナーの開放状態における縦断側面図で、半殻の１つは約９０°だけ傾斜している。
【図６】図１によるコンテナーの開放状態における側面図で、半殻の１つは約９０°だけ傾斜しておりかつ上方半殻内の厚さ弱化線で剪断が起こされている。
【図７】図６に対応したコンテナーの側面図で、両半殻内の厚さ弱化線で剪断が生じている。
【図８】本発明によるコンテナーの斜視図で、半殻の１つは約１８０°だけ傾斜している。
【図９】本発明によるコンテナーの別の実施例における斜視図で、開放状態を示している。
【図１０】図９によるコンテナーの閉塞状態における前面図である。
【図１１】図１０によるコンテナーの後面図である。
【図１２】コンテナーの別実施例の一部開放状態における斜視図である。
【図１】
2009515789.tif 000003
【図２】
2009515789.tif 000004
【図３】
2009515789.tif 000005
【図４】
2009515789.tif 000006
【図５】
2009515789.tif 000007
【図６】
2009515789.tif 000008
【図７】
2009515789.tif 000009
【図８】
2009515789.tif 000010
【図９】
2009515789.tif 000011
【図１０】
2009515789.tif 000012
【図１１】
2009515789.tif 000013
【図１２】
2009515789.tif 000014
【国際調査報告】
2009515789.tif 000015
2009515789.tif 000016
2009515789.tif 000017